(57)【要約】【課題】駆動源からの駆動力を伝達するギヤと、長い歯幅を有するロングギヤと、を確実に噛合させ得る小型なカメラのレンズ装置を提供する。【解決手段】駆動源からの駆動力を伝達するアイドルギヤ３３と、このアイドルギヤ３３を支持するギヤケース３２と、上記アイドルギヤ３３と噛合するものであり長い歯幅を有し軸支穴３５ｅと段状穴部３５ｄとでなるギヤ軸穴３５ｃが設けられたロングギヤ３５と、上記軸支穴３５ｅと係合する軸受け部１６ｎと上記段状穴部３５ｄに対応した段状部１６ｍとでなるギヤ軸部１６ｋを有しロングギヤ３５の一端側を回転可能に支持する固定枠１６と、上記ギヤケース３２を貫通して上記段状部１６ｍの内部まで螺合されたビス３４と、上記ロングギヤ３５の長い歯幅の一部とギヤ１７ｂで噛合することにより回転しながら進退するようになされたカム枠１７と、を備えたカメラのレンズ装置。【選択図】  図５
2004252198.tif 000002
【特許請求の範囲】
【請求項１】
駆動源からの駆動力を伝達するための第１の伝達ギヤと、
この第１の伝達ギヤを回転可能に支持する支持部材と、
上記第１の伝達ギヤと噛合するものであり、長い歯幅を有する第２の伝達ギヤと、
この第２の伝達ギヤの少なくとも一端側を回転可能に支持する固定枠と、
上記支持部材を、上記固定枠に対して、上記第２の伝達ギヤの回転軸と同軸に固定する締結部材と、
を具備したことを特徴とするカメラのレンズ装置。
【請求項２】
上記第２の伝達ギヤは、少なくとも一端側に自己が回転可能に支持されるためのギヤ軸穴を有し、
上記固定枠は、この第２の伝達ギヤの少なくとも一端側を回転可能に支持するために上記ギヤ軸穴に係合するギヤ軸部を有して構成されたものであることを特徴とする請求項１に記載のカメラのレンズ装置。
【請求項３】
上記ギヤ軸穴は、軸支穴と、この軸支穴の開口側に連続して該軸支穴よりも径が大きくなるように形成された段状穴部と、を有して構成され、
上記ギヤ軸部は、上記軸支穴と回転可能に係合する軸受け部と、上記段状穴部に対応しこの軸受け部の基端側に連続して該軸受け部よりも径が大きくなるように形成された段状部と、を有して構成されたものであることを特徴とする請求項２に記載のカメラのレンズ装置。
【請求項４】
上記締結部材は、上記支持部材を貫通して、上記段状部の内部にまで到達するように締結されたものであることを特徴とする請求項３に記載のカメラのレンズ装置。
【請求項５】
上記締結部材はねじであって、螺合により上記締結を行うものであることを特徴とする請求項４に記載のカメラのレンズ装置。
【請求項６】
上記第２の伝達ギヤよりも短い歯幅を有し、該第２の伝達ギヤの長い歯幅の一部と噛合することにより駆動力の伝達を受けて、上記固定枠に対して相対的に回転しながら該回転の軸方向に進退するように構成されたカム枠をさらに具備したことを特徴とする請求項１に記載のカメラのレンズ装置。
【請求項７】
駆動源からの駆動力を伝達する第１の伝達ギヤと、
上記第１の伝達ギヤを支持する支持部材と、
上記第１の伝達ギヤと噛合することにより駆動力の伝達を受けてカム枠を駆動する第２の伝達ギヤと、
上記第２の伝達ギヤを軸支するギヤ軸部が設けられた固定枠と、
上記支持部材を上記固定枠に締結するものであって、上記ギヤ軸部と同軸でかつ該ギヤ軸部の内部にまで到達するように上記固定枠に装着されたねじと、
を具備したことを特徴とするカメラのレンズ装置。
【発明の詳細な説明】
【０００１】
【発明の属する技術分野】
本発明は、駆動源からの駆動力を長い歯幅を有するギヤを介して伝達するカメラのレンズ装置に関する。
【０００２】
【従来の技術】
デジタルカメラや銀塩カメラなどのカメラに適用されるレンズ装置は、従来より種々のものが提案されているが、撮影時の光学性能を確保するとともに非撮影時の小型化を図るために、非撮影時には沈胴し、撮影時にはこの沈胴状態から繰り出されるように構成されたものが知られている。
【０００３】
特に、レンズ装置が変倍光学系、いわゆるズームレンズとして構成されたものである場合には、撮影光学系を構成する複数のレンズ群をズーム位置に応じてそれぞれの位置に移動させなければならないために、カメラ本体に固定される固定枠の内側にカム枠といわれる筒状部材を用いることがある。
【０００４】
このカム枠は、該固定枠に対して回動されるとともに光軸方向に進退されるようになっており、その内周面に刻設されたカム溝によって撮影光学系のレンズ群をそれぞれの位置に移動させるように構成されている。こうしたカム枠を用いることにより、沈胴時におけるレンズ鏡筒の光軸方向長さを短縮して、ひいてはカメラの薄型化を図ることが可能となっている。
【０００５】
このようなカム枠に固定枠側から駆動力を与える際には、該カム枠が光軸方向に移動してもその周面に例えば形成されたギヤと噛合し続けることができるように、カム枠の光軸方向の移動をカバーすることができるような長さのギヤ、つまり、光軸方向に平行な回転軸を有し該回転軸方向に長い円筒形状をなすいわゆるロングギヤを使用することがある。このロングギヤは、例えば基本的に平歯車と同様の構造を有しながら、該平歯車と比較して長い歯幅を有する構造のものである。
【０００６】
このようなロングギヤを使用する技術の一例として、特開平１１−７２６８２号公報（特許文献１）には、カメラ本体に対して沈胴する沈胴位置とこの沈胴位置から前方に繰り出された撮影可能位置との間で進退される撮影レンズ鏡筒と、上記撮影レンズ鏡筒を上記沈胴位置と撮影可能位置との間で進退させるための第１のギヤと、上記撮影レンズ鏡筒に焦点距離変更動作を行わせるための第２のギヤと、を備えたレンズ鏡筒が記載されていて、具体的には第１のギヤと第２のギヤがロングギヤとなっている。
【０００７】
これにより、レンズ鏡枠の沈胴位置からのセットアップ動作域とズーム動作域での繰り出し動作とを簡単に切り換えることができる、簡単な機構のズームレンズ鏡筒を構成することが可能となっている。
【０００８】
【特許文献１】
特開平１１−７２６８２号公報
【０００９】
【発明が解決しようとする課題】
上述したようなカム枠は、カム溝とカムフォロワとの係合により複数のレンズ群を光軸方向に進退させるものであるために、大きなトルクで駆動させる必要がある。従って通常は、モータ等の駆動源から発生させた駆動力を、減速機構を介して大きなトルクの力に変換した後に、該減速機構の最終段のギヤからロングギヤに伝達して該ロングギヤを回転させるようになっている。
【００１０】
このような軸方向に長いロングギヤに大きなトルクがかかると、ロングギヤの回転軸が軸ぶれしたり傾いたりして、通常の噛合状態をとれなくなる可能性があるために、ロングギヤは、高い剛性をもった強固な支軸により支持される必要がある。
【００１１】
近年のレンズ鏡筒は、小型軽量化を図るとともに生産性も考慮して、モールドにより成型されているのが一般的であるが、プラスチック等によりモールド成型された支軸では、金属と同様の高い剛性を確保することは困難である。従って、モールド成型でありながら剛性を確保するためには、支軸を大径化することが考えられるが、この場合には、ロングギヤも大径化されてしまうことになり、ひいてはレンズ装置が大型化して、小型軽量化に反することになってしまう。
【００１２】
こうして、レンズ装置の小型軽量性を損なうことなく、減速機構の最終段のギヤとロングギヤとの噛合状態を確実なものとする技術が求められている。
【００１３】
本発明は上記事情に鑑みてなされたものであり、駆動源からの駆動力を伝達するための第１の伝達ギヤと、長い歯幅を有する第２の伝達ギヤと、を確実に噛合させることができる小型なカメラのレンズ装置を提供することを目的としている。
【００１４】
【課題を解決するための手段】
上記の目的を達成するために、第１の発明によるカメラのレンズ装置は、駆動源からの駆動力を伝達するための第１の伝達ギヤと、この第１の伝達ギヤを回転可能に支持する支持部材と、上記第１の伝達ギヤと噛合するものであり長い歯幅を有する第２の伝達ギヤと、この第２の伝達ギヤの少なくとも一端側を回転可能に支持する固定枠と、上記支持部材を上記固定枠に対して上記第２の伝達ギヤの回転軸と同軸に固定する締結部材と、を具備したものである。
【００１５】
また、第２の発明によるカメラのレンズ装置は、上記第１の発明によるカメラのレンズ装置において、上記第２の伝達ギヤは少なくとも一端側に自己が回転可能に支持されるためのギヤ軸穴を有し、上記固定枠はこの第２の伝達ギヤの少なくとも一端側を回転可能に支持するために上記ギヤ軸穴に係合するギヤ軸部を有して構成されたものである。
【００１６】
さらに、第３の発明によるカメラのレンズ装置は、上記第２の発明によるカメラのレンズ装置において、上記ギヤ軸穴は、軸支穴と、この軸支穴の開口側に連続して該軸支穴よりも径が大きくなるように形成された段状穴部と、を有して構成され、上記ギヤ軸部は、上記軸支穴と回転可能に係合する軸受け部と、上記段状穴部に対応しこの軸受け部の基端側に連続して該軸受け部よりも径が大きくなるように形成された段状部と、を有して構成されたものである。
【００１７】
第４の発明によるカメラのレンズ装置は、上記第３の発明によるカメラのレンズ装置において、上記締結部材が、上記支持部材を貫通して、上記段状部の内部にまで到達するように締結されたものである。
【００１８】
第５の発明によるカメラのレンズ装置は、上記第４の発明によるカメラのレンズ装置において、上記締結部材がねじであって、螺合により上記締結を行うものである。
【００１９】
第６の発明によるカメラのレンズ装置は、上記第１の発明によるカメラのレンズ装置において、上記第２の伝達ギヤよりも短い歯幅を有し、該第２の伝達ギヤの長い歯幅の一部と噛合することにより駆動力の伝達を受けて、上記固定枠に対して相対的に回転しながら該回転の軸方向に進退するように構成されたカム枠をさらに具備したものである。
【００２０】
第７の発明によるカメラのレンズ装置は、駆動源からの駆動力を伝達する第１の伝達ギヤと、上記第１の伝達ギヤを支持する支持部材と、上記第１の伝達ギヤと噛合することにより駆動力の伝達を受けてカム枠を駆動する第２の伝達ギヤと、上記第２の伝達ギヤを軸支するギヤ軸部が設けられた固定枠と、上記支持部材を上記固定枠に締結するものであって上記ギヤ軸部と同軸でかつ該ギヤ軸部の内部にまで到達するように上記固定枠に装着されたねじと、を具備したものである。
【００２１】
【発明の実施の形態】
以下、図面を参照して本発明の実施の形態を説明する。
図１から図８は本発明の一実施形態を示したものであり、図１はバリア閉状態にあるデジタルカメラの外観を前方から示す斜視図、図２はバリア開状態にあるデジタルカメラの外観を前方から示す斜視図である。
【００２２】
この実施形態は、以下で説明するように、レンズ鏡筒内に撮影光学系を保持して構成されるレンズ装置をデジタルカメラに適用したものとなっている。
【００２３】
なお、図面および以下の説明においては、撮影光学系である撮影レンズ系１１（図２等参照）の光軸Ｏに沿う被写体側（対物側）方向をＺ方向（Ｚの正方向）とし、このＺ方向に垂直な面内における水平方向（Ｚの負方向（結像側方向）を見たときの水平右方向）をＸ方向（Ｘの正方向）、Ｚ方向に垂直な面内における上方向をＹ方向（Ｙの正方向）とそれぞれしている。
【００２４】
このデジタルカメラ１は、図１、図２に示すように、前面側を覆う前カバー２と、背面側を覆う後カバー４と、これら前カバー２と後カバー４との間となる側面を覆う中カバー３と、を組み合わせることにより外装体の主要部分を構成している。
【００２５】
上記前カバー２には、Ｘ方向に沿ったスライド溝２ａが形成されており、このスライド溝２ａにレンズバリア５が摺動可能に係合している。これにより、レンズバリア５は、図１に示す遮蔽位置と図２に開放位置とをスライドして移行することができるようになっている。
【００２６】
このデジタルカメラ１の上面の、例えば該デジタルカメラ１を把持する右手の人差指で操作可能な上記中カバー３の位置には、撮影を指示入力するためのレリーズボタン６が配置されている。
【００２７】
また、該デジタルカメラ１の背面上部には、撮影者が被写体を確認して構図等を決定する際に用いる光学ファインダの接眼窓７が配置されている。
【００２８】
一方、図２に示すように、上記レンズバリア５を開放位置に移動させると、遮蔽位置では該レンズバリア５に遮蔽されていた前面部２ｂに、光学ファインダの対物窓８、ストロボ発光窓９、レンズ鏡筒１０、がそれぞれ露呈するようになっている。
【００２９】
上記レンズ鏡筒１０は、内部に撮影レンズ系１１を保持するものであって、該撮影レンズ系１１を保持した状態においてレンズ装置を構成しており、鏡筒保持枠１２を介してカメラ本体側に固定し支持されている。このレンズ鏡筒１０は、レンズバリア５が開放位置となって撮影可能状態に移行すると、図２の２点差線で示すように、前面部２ｂからＺ方向に繰り出すようになっている。一方、レンズバリア５が図１に示す撮影不可能な遮蔽位置になると、レンズ鏡筒１０は、該レンズバリア５と干渉しない位置まで沈胴するように構成されている。
【００３０】
次に、図３を参照して、レンズ鏡筒１０の概略の構成について説明する。図３はワイド時のレンズ鏡筒の状態を示す光軸に沿った断面図である。
【００３１】
撮像素子保持部材たるＣＣＤホルダ１５は、ＣＣＤ基板４５上に半田付けされた撮像素子たるＣＣＤ４３を所定位置に保持するためのものである。ＣＣＤホルダ１５がＣＣＤ４３を保持する構造については、後で図７および図８を参照して詳しく説明する。
【００３２】
固定枠１６は、上記鏡筒保持枠１２を介してこのデジタルカメラ１の内部に固定し支持される円筒状部材であり、上記ＣＣＤホルダ１５がＺの負方向の端面に固着されている。この固定枠１６の内周面側には、ヘリコイド１６ａ（図６も参照）と、光軸Ｏ方向に沿ったキー溝１６ｂと、が形成されている。
【００３３】
カム枠１７は、上記固定枠１６の内周側において光軸Ｏ周りに回転可能に支持される円筒状部材であり、Ｚの負方向の外周面に後述するロングギヤ３５（図４等参照）と噛合して回動力を受けるためのギヤ１７ｂが形成されている。このギヤ１７ｂは、上記固定枠１６のヘリコイド１６ａと螺合するためのヘリコイドを一部兼ねており、該カム枠１７が上記ギヤ１７ｂを介して光軸Ｏ周りの回動力を受けると、これらヘリコイド同士の螺合により、Ｚ方向（光軸Ｏ方向）に進退されるようになっている。また、このカム枠１７の内周面には、後述する１群枠２１を支持する移動枠１８と２群枠２２とを共通に案内するための長溝として形成されたカム溝１７ａが形成されている。
【００３４】
フロートキー２３は、このカム枠１７とＺ方向に一体に移動され、かつ該カム枠１７に対して相対的に回動自在となるように、該カム枠１７のＺの負方向端に取り付けられている。さらに、このフロートキー２３は、上記固定枠１６のキー溝１６ｂに係合しており、該固定枠１６に対する回動、つまり光軸Ｏ周りの回動が規制されている。このようなフロートキー２３は、上記カム枠１７の内側に入り込むようにＺの正方向にキー部２３ａを延設しており、後述する１群枠２１や２群枠２２の光軸Ｏ周りの回動を規制するようになっている。
【００３５】
２群枠２２は、上記カム枠１７の内周側のＺの負方向側に支持されていて、２群レンズ２ＬＧを保持する部材である。この２群枠２２は、上記カム枠１７の内周面に摺動する部位からカムフォロワ２２ａを突設しており、該カムフォロワ２２ａを上記カム溝１７ａに係合している。該２群枠２２は、上述したように、フロートキー２３のキー部２３ａにより光軸Ｏ周りの回動を規制されているために、上記カム枠１７が回動すると、上記カムフォロワ２２ａとカム溝１７ａとの係合により、Ｚ方向（光軸Ｏ方向）に進退されるようになっている。
【００３６】
シャッタ２５は、シャッタ地板２５ｂにシャッタ羽根２５ａを回動可能に支持して構成されており、該シャッタ地板２５ｂを介して上記２群枠２２のＺの負方向端に固定されている。
【００３７】
固定絞り２６は、撮影レンズ系１１を通過する光束の範囲を絞ることにより不要な光線を遮断するものであり、２群枠２２のＺの正方向端に固着されている。
【００３８】
移動枠１８は、上記カム枠１７の内周側のＺの正方向側に支持されている円筒状部材であり、外周面から上記カム溝１７ａに係合するカムフォロワ１８ａを突設している。この移動枠１８は、上述したように、上記フロートキー２３のキー部２３ａにより光軸Ｏ周りの回動を規制されているために、上記カム枠１７が回動すると、上記カムフォロワ１８ａとカム溝１７ａとの係合により、Ｚ方向（光軸Ｏ方向）に進退されるようになっている。
【００３９】
１群枠ガイドロッド１９は、この移動枠１８の内側において、Ｚの正方向側の一端を該移動枠１８に固定されており、後述する１群枠２１を光軸Ｏ方向（Ｚ方向）に沿って案内するためのものである。
【００４０】
ＡＦ用モータ２４は、後述する１群レンズ１ＬＧをＡＦ動作時に光軸方向に進退させるための駆動源であり、例えばステッピングモータで構成されていて、上記移動枠１８の内周側に保持されている。
【００４１】
１群枠２１は、上記移動枠１８の内周側におけるＺの正方向側に配設されており、１群レンズ１ＬＧを保持する部材である。この１群枠２１は、上記１群枠ガイドロッド１９により光軸Ｏ方向に案内されながら、上記ＡＦ用モータ２４の駆動力を受けて進退されるようになっている。
【００４２】
撮影レンズ系１１は、上記１群レンズ１ＬＧと２群レンズ２ＬＧとを含んでなり、ズーム光学系（変倍光学系）として構成されている。
【００４３】
次に、図４を参照して、固定枠１６の内部へ駆動力を伝達するための構成について説明する。図４は（Ａ）ＣＣＤホルダ、固定枠、鏡枠駆動用モータおよび減速ギヤユニットを前方側から示す分解斜視図、（Ｂ）鏡枠駆動用モータおよび減速ギヤユニットを後方側（矢印Ｂの方向側）から示す斜視図、である。
【００４４】
上記ＣＣＤホルダ１５は、上述したようにＣＣＤ４３を保持する部材であり、該ＣＣＤ４３をＺの負方向側から格納するための凸状部１５ｂと、光束を該ＣＣＤ４３に導くためにこの凸状部１５ｂに形成されたアパーチャ１５ａと、後述するロングギヤ３５のＺの負方向端側を軸支するための支持穴１５ｃと、を有する略円板状の部材である。
【００４５】
上記固定枠１６は、ロングギヤ３５のＺの正方向端側を覆う板状部１６ｃを、該固定枠１６のＺの正方向端側の周面から突設しており、この板状部１６ｃには、該ロングギヤ３５の回転軸と同軸となるように穿設されたビス穴１６ｄと、後述する支持部材たるギヤケース３２を位置決めするための位置決め孔１６ｅと、が形成されている。
【００４６】
さらに、固定枠１６は、上記ロングギヤ３５の噛合に使われない外周面側部分を覆うための円筒状部１６ｆと、上記ギヤケース３２を位置決めし固定するための板状部１６ｇと、を周面に有している。この板状部１６ｇには、ビス孔１６ｈと、位置決め孔１６ｉと、が形成されている。
【００４７】
減速ギヤユニット３１は、ギヤケース３２内に減速ギヤ列を格納するものであり、該減速ギヤユニット３１に取り付けられた駆動源たる鏡枠駆動用モータ３０の出力を、該減速ギヤ列を介して減速し、上記ロングギヤ３５に伝達するようになっている。この減速ギヤ列の内の最終段に配置された第１の伝達ギヤたるアイドルギヤ３３は、回転軸３３ａ周りに回動自在となるようにギヤケース３２に支持されており、図４（Ｂ）にも示すように、一部が該ギヤケース３２から露呈して、該ロングギヤ３５に噛合するように構成されている。
【００４８】
上記ギヤケース３２には、ビス孔３２ａ，３２ｃが穿設されるとともに、位置決めボス３２ｂ，３２ｄが突設されている。上記ビス孔３２ａには、上記ビス穴１６ｄと共通して締結部材でありねじたるビス３４が螺合されるようになっており、上記ビス孔３２ｃには、上記ビス孔１６ｈと共通してビス３６が螺合されるようになっている。これらのビス３４，３６は、例えば金属により形成されたものとなっている。さらに、上記位置決めボス３２ｂは上記位置決め孔１６ｅと、上記位置決めボス３２ｄは上記位置決め孔１６ｉと、それぞれ係合することで、減速ギヤユニット３１と固定枠１６との位置決めを行うようになっている。
【００４９】
図５および図６を参照して、このような駆動系にロングギヤ３５を取り付ける構成について説明する。図５はロングギヤの取付構造を示す図４のＡ−Ａ断面図、図６はロングギヤと固定枠とを前方から示す分解斜視図である。
【００５０】
ロングギヤ３５は、第２の伝達ギヤであって、平歯車と同様の構造、つまり、光軸方向に平行な歯先を備える歯３５ｂが周面に沿って複数形成されたものとなっているが、この歯３５ｂの歯幅が光軸方向に長いギヤとなっている。
【００５１】
上記固定枠１６には、このようなロングギヤ３５が取り付けられるようになっていて、該ロングギヤ３５の歯３５ｂは、固定枠１６の内周側においては歯幅方向のほぼ全てを露呈するように、また、固定枠１６の外周側においては歯幅方向の一部のみを露呈するように、配置されている。すなわち、固定枠１６の板状部１６ｃには、上記ロングギヤ３５を軸支するためのギヤ軸部１６ｋが、Ｚの負方向に向けて突設されている。このギヤ軸部１６ｋは、より詳しくは、基端側でより大径に設けられた段状部１６ｍと、この段状部１６ｍの先端側に連続してより細径に設けられた軸受け部１６ｎと、を有して構成されていて、これらの内の軸受け部１６ｎが、実際にロングギヤ３５と係合して軸受けを行う部分となっている。
【００５２】
上記ビス穴１６ｄは、このギヤ軸部１６ｋの段状部１６ｍの内部にまで到達するように穿設されており、ビス３４が締結されたときのビス先端は、ロングギヤ３５の内径側にまで至るようになっている。
【００５３】
ロングギヤ３５も、このようなギヤ軸部１６ｋに対応して、ギヤ軸穴３５ｃが穿設されている。このギヤ軸穴３５ｃは、より詳しくは、上記段状部１６ｍに対応する段状穴部３５ｄと、上記軸受け部１６ｎに対応する軸支穴３５ｅと、を有して構成されている。これらの内の軸支穴３５ｅは、軸受け部１６ｎと摺動自在に嵌合するサイズとなっているが、段状穴部３５ｄは、上記ビス穴１６ｄにビス３４が螺合されたときに段状部１６ｍが径方向に膨らんだとしても回転を阻止することのないように、該段状部１６ｍよりも一回り大きな径の穴部として形成されている。
【００５４】
一方、ロングギヤ３５のＺの負方向端には支軸部３５ｆが突設されており、上記ＣＣＤホルダ１５の支持穴１５ｃに係合して回動自在に軸支されている。
【００５５】
このようなロングギヤ３５のＺの正方向端側には、上記鏡枠駆動用モータ３０からの駆動力を伝達するアイドルギヤ３３が噛合するようになっている。また、該ロングギヤ３５には、歯幅方向の適宜の位置において上記カム枠１７のギヤ１７ｂが噛合するようになっており、その噛合位置は、該カム枠１７の光軸方向位置に応じて変化する。このようなカム枠１７のギヤ１７ｂとの噛合を介して、ロングギヤ３５の駆動力が、レンズ鏡筒１０の内部に伝達されるように構成されている。
【００５６】
上述したような構成において、ビス３４、ビス穴１６ｄ、ギヤ軸部１６ｋ、支持穴１５ｃは、各々の中心軸がロングギヤ３５の回転軸３５ａと一致するように配置されている。
【００５７】
従って、光軸Ｏに垂直な平面内において、ギヤケース３２と固定枠１６とを締結する締結点となるビス３４の中心と、ロングギヤ３５の回転軸３５ａと、アイドルギヤ３３の回転軸３３ａと、の３点を考えると、締結点と回転軸３５ａとの間の距離は最短（すなわち０）となり、締結点と回転軸３３ａとの間の距離は回転軸３３ａと回転軸３５ａ（またはビス孔３２ａ）との間の距離Ｌ１に一致する。このような構成により、減速ギヤユニット３１から高いトルクの力が加わるロングギヤ３５を、歯飛びを起こすことなくより確実に支持することが可能となる。
【００５８】
すなわち、高いトルクが加わってギヤケース３２と固定枠１６とを締結しているビス３４による締結部分が逃げようとしても、ロングギヤ３５がこれと同軸に追従することになるために、容易に歯飛びを起こすことがないのである。さらに、ギヤ軸部１６ｋに段状部１６ｍを設けるとともに、その内部に金属でなるビス３４を螺合しているために、ロングギヤ３５に軸ぶれが発生するのを強力に抑制することが可能となる。
【００５９】
また、ビス３４がロングギヤ３５の内部側に入り込む構成となっているために、該ビス３４を締結するための空間を固定枠１６に別途設ける必要がなくなり、レンズ鏡筒１０の省スペース化を図ることができる。
【００６０】
続いて、図７および図８を参照して、上記ロングギヤ３５のＺの負方向端側が支持されるＣＣＤホルダ１５の構成について説明する。図７はＣＣＤが保持されるＣＣＤホルダの構成を示す分解斜視図、図８はＣＣＤが保持された状態のＣＣＤホルダの構成を示す断面図である。
【００６１】
ＣＣＤホルダ１５は、デジタルカメラの撮像光学装置を構成する撮像素子保持部材であって、上述したように、ＣＣＤ４３を保持するための略円板状をなす部材であり、該ＣＣＤ４３をＺの負方向側から格納するための凸状部１５ｂと、光束を該ＣＣＤ４３に導くためにこの凸状部１５ｂに形成されたアパーチャ１５ａと、上記ロングギヤ３５の支軸部３５ｆを回動自在に軸支するための支持穴１５ｃと、を有して構成されている。このＣＣＤホルダ１５は、さらに、ＣＣＤ４３を後述するＣＣＤ押え板４４を介して位置決めし固定するためのビス穴１５ｅ，１５ｆ，１５ｇと、２つの位置決めボス１５ｈと、がＺの負方向側の面に形成されている。そして、ＣＣＤホルダ１５は、レンズ鏡筒１０が沈胴状態となったときに鏡筒内部の各部材が互いに近接するのに対応するために、逃げ部として切欠等が１つあるいは複数設けられており、このような切欠によって上記アパーチャ１５ａの近傍に切欠孔１５ｄが発生している。
【００６２】
ＣＣＤホルダ１５の凸状部１５ｂ内には、Ｚの正方向側から負方向側に向かって、ローパスフィルタ（ＬＰＦ）４１と、撮像素子保持枠たるＣＣＤ保持弾性枠４２と、ＣＣＤ４３と、ＣＣＤ押え板４４とが、この順に取り付けられるようになっている。
【００６３】
上記ローパスフィルタ（ＬＰＦ）４１は、ＣＣＤ４３に到達する被写体光から不要な高周波成分を除去するための公知の光学フィルタである。
【００６４】
上記ＣＣＤ保持弾性枠４２は、弾性および遮光性を備えた例えば黒色のシリコンゴム等の素材により矩形枠形状に形成された部材であり、被写体光をＣＣＤ４３の撮像面に到達させるための矩形孔４２ａと、該ＣＣＤ４３の撮像側の端面に枠状に当接する当接部４２ｂと、上記ＣＣＤホルダ１５の凸状部１５ｂの段状をなす内側面に当接して上記切欠孔１５ｄからの光がＣＣＤ４３に到達することのないように遮光する側面４２ｃと、を有して構成されている。
【００６５】
上記ＣＣＤ押え板４４は、ＣＣＤ４３を確実に位置決めしてＣＣＤホルダ１５に固定するための金属等で形成された部材であり、軽量化等を図るために中央部に矩形状孔４４ａが形成されると共に、上記ビス穴１５ｅ，１５ｆ，１５ｇとそれぞれ共通にビス締めするためのビス孔４４ｅ，４４ｆ，４４ｇと、上記２つの位置決めボス１５ｈと係合して位置決めするための２つの位置決め孔４４ｈと、が設けられている。
【００６６】
このような構成において、図８に示すような、ＣＣＤ４３をＣＣＤホルダ１５に取り付けた状態では、上記切欠孔１５ｄが上記ＣＣＤ保持弾性枠４２により完全に遮蔽されるために、撮像に関与しない余分な光が該切欠孔１５ｄを介してＣＣＤ４３に到達することはない。
【００６７】
こうして、可能な限りの小型化を図るためにＣＣＤホルダ１５に切欠を設けることに起因して、切欠孔１５ｄが形成されてしまっても、該切欠孔１５ｄが撮像性能に影響を与えることはない。
【００６８】
なお、上述では、ギヤユニット３１を固定枠１６に固定するための締結部材としてビス３４を用いているが、これに限らず、例えばピンを圧入するなどにより行うようにしても構わない。
【００６９】
また、上述したような構成は、デジタルカメラに適用するに限るものではなく、銀塩カメラに適用することも勿論可能であるし、携帯電話やＰＤＡ等の機器に搭載される撮像装置に適用することも可能である。
【００７０】
このような実施形態によれば、段状部を備えた軸受け部によりロングギヤを回転可能に支持しているために、鏡枠駆動用モータからの駆動力を伝達するためのアイドルギヤとロングギヤとを確実に噛合させることができる。
【００７１】
このとき、ロングギヤの内部にギヤ軸穴を設けて固定枠から突設されたギヤ軸部を受けるようにしているために、省スペース化を図ってカメラのレンズ装置を小型化することが可能となる。
【００７２】
そして、ギヤケースを貫通させて段状部の内部に到達するようにビスを締結しているために、ビス螺合用の別途のスペースが不要であり、かつギヤ軸部をより強固なものとすることができる。
【００７３】
さらに、ビス螺合位置がロングギヤの回転軸と同軸であるために、高いトルクによりロングギヤがアイドルギヤの噛合から逃げようとしても、追従して確実に噛合状態を維持することができる。
【００７４】
なお、本発明は上述した実施形態に限定されるものではなく、発明の主旨を逸脱しない範囲内において種々の変形や応用が可能であることは勿論である。
【００７５】
［付記］
以上詳述したような本発明の上記実施形態によれば、以下のごとき構成を得ることができる。
【００７６】
（１）  駆動源からの駆動力を伝達する第１の伝達ギヤと、
上記第１の伝達ギヤを支持する支持部材と、
長い歯幅を有し、上記伝達ギヤが上記長い歯部の一部に噛合して、上記第１の伝達ギヤの駆動力を伝達する第２の伝達ギヤと、
上記第２の伝達ギヤに上記第２の伝達ギヤよりも短い歯幅のギヤ部で噛合し、上記第２の伝達ギヤの歯部の長いギヤ部に沿って上記歯部の短いギヤ部が回転しながら移動するレンズの位置決め用のカム枠と、
上記第２の伝達ギヤを軸支するギヤ軸部が設けられた固定枠と、
上記支持部材の上記第２の伝達ギヤの支持近傍部分を、上記固定枠の上記ギヤ軸部の軸上に当たる位置に締結する締結手段と、
を具備したことを特徴とするカメラのレンズ装置。
【００７７】
（２）  上記締結手段は、先端が上記ギヤ軸部の内部にまで達するように設けられたネジであることを特徴とする請求項１に記載のカメラのレンズ装置。
【００７８】
（３）  上記ギヤ軸部の形状は、段付き形状であって、先端側の径の細い部分が上記第２の伝達ギヤの軸受け部であることを特徴とする請求項２に記載のカメラのレンズ装置。
【００７９】
（４）  カム枠を駆動する伝達ギヤと、
上記伝達ギヤを軸支するギヤ軸部が設けられた固定枠と、
上記伝達ギヤに駆動源からの駆動力を伝達するアイドルギヤと、
上記アイドルギヤを支持する支持部材と、
上記支持部材を上記固定枠に締結するものであって、上記ギヤ軸に同軸でかつ上記ギヤ軸部の内部まで到達するように上記固定枠に装着されたネジと、
を具備したことを特徴とするカメラのレンズ装置。
【００８０】
（５）  撮影光学系により結像される被写体像を電気的な映像信号に変換するための撮像素子と、
上記撮影光学系を保持するレンズ鏡筒の一光軸方向端側に固定されるものであって、上記撮像素子を所定位置に保持するための凸状部を有し、上記レンズ鏡筒が沈胴状態となったときに該レンズ鏡筒の内蔵物が上記凸状部に干渉することのないように該凸状部を切り欠いた結果、切欠孔が形成されている撮像素子保持部材と、
上記凸状部内における上記撮像素子の撮影光学系側に配設され、該撮像素子の撮像面に結像される被写体像を通過させるための矩形孔を有するとともに、上記切欠孔を光学的に遮光する機能を備えた撮像素子保持枠と、
を具備したことを特徴とするデジタルカメラの撮像光学装置。
【００８１】
（６）  上記撮像素子保持枠は、弾性を有する素材により形成されたものであることを特徴とする付記（５）に記載のデジタルカメラの撮像光学装置。
【００８２】
【発明の効果】
以上説明したように本発明のカメラのレンズ装置によれば、小型化を図りながら、駆動源からの駆動力を伝達するための第１の伝達ギヤと、長い歯幅を有する第２の伝達ギヤと、を確実に噛合させることができる。
【図面の簡単な説明】
【図１】本発明の一実施形態において、バリア閉状態にあるデジタルカメラの外観を前方から示す斜視図。
【図２】上記実施形態において、バリア開状態にあるデジタルカメラの外観を前方から示す斜視図。
【図３】上記実施形態において、ワイド時のレンズ鏡筒の状態を示す光軸に沿った断面図。
【図４】上記実施形態において、（Ａ）ＣＣＤホルダ、固定枠、鏡枠駆動用モータおよび減速ギヤユニットを前方側から示す分解斜視図、（Ｂ）鏡枠駆動用モータおよび減速ギヤユニットを後方側から示す斜視図。
【図５】上記実施形態におけるロングギヤの取付構造を示す図４のＡ−Ａ断面図。
【図６】上記実施形態において、ロングギヤと固定枠とを前方から示す分解斜視図。
【図７】上記実施形態において、ＣＣＤが保持されるＣＣＤホルダの構成を示す分解斜視図。
【図８】上記実施形態において、ＣＣＤが保持された状態のＣＣＤホルダの構成を示す断面図。
【符号の説明】
１…デジタルカメラ
１０…レンズ鏡筒
１１…撮影レンズ系（撮影光学系）
１５…ＣＣＤホルダ（撮像素子保持部材）
１５ａ…アパーチャ
１５ｂ…凸状部
１５ｃ…支持穴
１５ｄ…切欠孔
１６…固定枠
１６ｋ…ギヤ軸部
１６ｍ…段状部
１６ｎ…軸受け部
１７…カム枠
１７ｂ…ギヤ
３０…鏡枠駆動用モータ（駆動源）
３１…減速ギヤユニット
３２…ギヤケース（支持部材）
３３…アイドルギヤ（第１の伝達ギヤ）
３３ａ…回転軸
３４…ビス（締結部材、ねじ）
３５…ロングギヤ（第２の伝達ギヤ）
３５ａ…回転軸
３５ｂ…歯
３５ｃ…ギヤ軸穴
３５ｄ…段状穴部
３５ｅ…軸支穴
３５ｆ…支軸部
４２…ＣＣＤ保持弾性枠（撮像素子保持枠）
４２ａ…矩形孔
４３…ＣＣＤ（撮像素子）
【図１】
2004252198.tif 000003
【図２】
2004252198.tif 000004
【図３】
2004252198.tif 000005
【図４】
2004252198.tif 000006
【図５】
2004252198.tif 000007
【図６】
2004252198.tif 000008
【図７】
2004252198.tif 000009
【図８】
2004252198.tif 000010